(57)【要約】【課題】本発明は、同時間帯放送番組情報をガイドするデジタル放送受信用端末機及びその方法を提供する。【解決手段】前記端末機は、入力部と、デジタル放送データ及びＥＰＧデータを受信する受信部と、デジタル放送データまたはＥＰＧデータを出力する出力部と、前記受信されたデジタル放送番組ガイドデータを格納/管理する管理部と、前記入力部を介した同時間帯のチャンネル別放送番組情報の要請に応答して、前記管理部から当該時間帯のチャンネル別ＥＰＧデータを検出し、そのチャンネル別ＥＰＧデータから当該時間帯のチャンネル別放送番組情報を生成した後、前記出力部を介して出力するように制御する制御部とを含む。本発明によれば、デジタル放送の視聴中に他の放送チャンネルで放送中である番組情報を簡単に検索でき、その検索結果に基づいたチャンネル変更が可能であることで、ユーザーの便宜を極大化するという効果がある。【選択図】図５
2006060823.tif 000002
【特許請求の範囲】
【請求項１】
デジタル放送受信用端末機において、
ユーザーが同時間帯のチャンネル別放送番組に関する情報を要請するために命令又はデータを入力する入力部と、
デジタル放送データ及び番組ガイドデータを受信する受信部と、
前記受信された番組ガイドデータを格納/管理する管理部と、
前記番組ガイドデータを前記管理部に格納するとき、各チャンネル別番組毎に放送時間情報を所定形式に変換格納し、前記入力部を介した所定時間帯のチャンネル別放送番組情報の要請が感知されれば、前記所定時間帯を前記所定形式に変換した値と、前記チャンネル別番組の時間情報を前記所定形式に変換した値とを比較して、当該番組ガイドデータを検出し、前記検出したチャンネル別番組ガイドデータからチャンネル別放送番組情報を生成した後、前記出力部を介して出力するように制御する制御部と、
前記デジタル放送データ又は前記放送番組情報を出力する出力部と、
を含むことを特徴とするデジタル放送受信用端末機。
【請求項２】
前記所定形式に変換した値は、秒単位の値であることを特徴とする請求項１に記載のデジタル放送受信用端末機。
【請求項３】
前記制御部は、前記要請の応答時又は所定期間経過毎に、前記管理部に格納されたデジタル放送番組ガイドデータをアップデートすることを特徴とする請求項１に記載のデジタル放送受信用端末機。
【請求項４】
前記制御部は、前記要請が入力された時間又はその時間前後の所定時間範囲以内を、前記チャンネル別番組ガイドデータを検出するための時間帯として決定することを特徴とする請求項１に記載のデジタル放送受信用端末機。
【請求項５】
前記制御部は、ユーザーが指定した時間又はその時間前後の所定時間範囲以内を、前記チャンネル別番組ガイドデータを検出するための時間帯として決定することを特徴とする請求項１に記載のデジタル放送受信用端末機。
【請求項６】
前記制御部は、前記検出されたチャンネル別番組ガイドデータから、チャンネル名及び番組名を含むチャンネル別放送番組情報を生成することを特徴とする請求項１に記載のデジタル放送受信用端末機。
【請求項７】
前記制御部は、前記チャンネル別放送番組情報が出力された状態において、一つのチャンネルが選択された場合、前記検出されたチャンネル別番組ガイドデータからそのチャンネルに対する詳細情報を出力するように制御することを特徴とする請求項１に記載のデジタル放送受信用端末機。
【請求項８】
前記制御部は、前記選択されたチャンネルに対する詳細情報が出力された状態において、ユーザーからチャンネル変更の要請が入力されると、その要請に応答してチャンネル変更を行うことを特徴とする請求項７に記載のデジタル放送受信用端末機。
【請求項９】
前記出力部は、前記制御部の制御により、前記チャンネル別番組ガイドデータを前記出力部の画面の所定位置にオン-スクリーン-ディスプレイ方式でディスプレイすることを特徴とする請求項１に記載のデジタル放送受信用端末機。
【請求項１０】
前記出力部は、前記チャンネル別番組ガイドデータを前記出力部の画面の下段に１ラインスライド方式でディスプレイすることを特徴とする請求項１又は請求項９に記載のデジタル放送受信用端末機。
【請求項１１】
前記制御部は、各チャンネル毎に番組別に開始時間及び終了時間の情報を前記所定形式に変換して前記管理部に格納し、
ユーザーが情報提供を所望する時間帯が感知されると、前記時間帯を前記所定形式に変換し、前記所定形式に変換された開始時間及び終了時間と比較して前記開始時間及び前記終了時間範囲に属する場合、当該番組ガイドデータに基づいて番組情報を生成して前記出力部にディスプレイすることを特徴とする請求項１に記載のデジタル放送受信用端末機。
【請求項１２】
デジタル放送受信用端末機の放送番組情報のガイド方法において、
ユーザーからの所定時間帯のチャンネル別放送番組情報の要請が感知されると、前記所定時間帯を所定形式に変換する過程と、
前記所定時間帯の前記所定形式への変換値と、番組ガイドデータの各チャンネル別番組の放送時間情報の前記所定形式への変換値とを比較して、前記時間帯に該当するチャンネル別番組ガイドデータを検出する過程と、
前記チャンネル別番組ガイドデータからチャンネル別放送番組情報を生成する過程と、
前記チャンネル別放送番組情報をユーザーに提供するために出力する第１の出力過程と、
を含むことを特徴とする方法。
【請求項１３】
前記チャンネル別放送番組情報から一つのチャンネルが選択された場合、前記検出されたチャンネル別番組ガイドデータから、そのチャンネルに対する詳細情報を読み出して出力する第２の出力過程をさらに含むことを特徴とする請求項１２に記載の方法。
【請求項１４】
前記選択されたチャンネルに対する詳細情報が出力された状態において、ユーザーからチャンネル変更の要請が入力されると、その要請に応答してチャンネル変更を行う過程をさらに含むことを特徴とする請求項１３に記載の方法。
【請求項１５】
前記第２の出力過程は、前記選択されたチャンネルに対する詳細情報を、デジタル放送データ出力画面の所定位置にオン-スクリーン-ディスプレイ方式で出力することを特徴とする請求項１３に記載の方法。
【請求項１６】
前記第２の出力過程は、前記選択されたチャンネルに対する詳細情報を、前記デジタル放送データ出力画面の下段に１ラインスライド方式で出力することを特徴とする請求項１３又は請求項１５に記載の方法。
【請求項１７】
前記検出過程は、前記チャンネル別番組ガイドデータの検出前に、既格納の番組ガイドデータをアップデートする段階を含むことを特徴とする請求項１２に記載の方法。
【請求項１８】
所定期間経過毎に、番組ガイドデータを受信し、各チャンネル別番組毎に放送時間情報を前記所定形式に変換格納する過程をさらに含むことを特徴とする請求項１７に記載の方法。
【請求項１９】
前記要請に応答して、番組ガイドデータを受信し、各チャンネル別番組毎に放送時間情報を前記所定形式に変換格納する過程をさらに含むことを特徴とする請求項１７に記載の方法。
【請求項２０】
前記検出過程は、前記チャンネル別番組ガイドデータの検出前に、前記要請が入力された時間又はその時間前後の所定時間範囲以内を前記時間帯として決定する段階を含むことを特徴とする請求項１２に記載の方法。
【請求項２１】
前記検出過程は、前記チャンネル別番組ガイドデータの検出前に、前記時間帯を決定するための基準時間を入力され、その時間前後の所定時間範囲以内を前記時間帯として決定する段階を含むことを特徴とする請求項１２に記載の方法。
【請求項２２】
前記生成過程で生成されるチャンネル別放送番組情報には、チャンネル名及び番組名が含まれることを特徴とする請求項１２に記載の方法。
【請求項２３】
前記第１の出力過程は、前記チャンネル別放送番組情報をデジタル放送データ出力画面の下段に１ラインスライド方式で出力することを特徴とする請求項１２に記載の方法。
【請求項２４】
前記所定時間帯は現在時間であり、前記現在時間はユーザーによるチャンネル別放送番組情報の要請に応答して自動確認されるものであることを特徴とする請求項１２に記載の方法。
【発明の詳細な説明】
【技術分野】
【０００１】
本発明はデジタル放送受信用端末機に関し、特に、同時間帯のチャンネル別放送番組情報をカイドするデジタル放送受信用端末機及びその方法に関する。
【背景技術】
【０００２】
通常、デジタル放送とは、従来のアナログ放送に代わりに、高画質や高音質、且つ高品質のサービスをユーザーに提供できる放送サービスを言う。最近は、デジタル放送技術及び移動通信技術の発達に伴い、移動中にもデジタル放送を視聴できるデジタル放送サービスに対する関心が高まっている。特に、移動通信端末機を用いたデジタルマルチメディア放送(Ｄｉｇｉｔａｌ  Ｍｕｌｔｉｍｅｄｉａ  Ｂｒｏａｄｃａｓｔｉｎｇ：以下、“ＤＭＢ”という)サービスに対する関心が高まっている。ＤＭＢとは、無指向性受信アンテナ付きの個人携帯用受信機や車両用受信機などを介して、移動中にも様々なマルチメディア放送を多チャンネルで視聴できる放送サービスを言う。
【０００３】
図１はＤＭＢサービス具現のためのシステム構成に対する例示図である。
【０００４】
ＤＭＢサービス具現のためのシステムは、データ送出センタ１０と、衛星２０と、受信装置(例えば、移動通信端末機３０、車両用受信機４０、及び家庭用受信機５０等)とを含む。
【０００５】
データ送出センタ１０は、ＤＭＢデータ(例えば、画像、音声、及びデータ信号等)を圧縮後に変調して衛星２０に送出する。衛星２０は、データ送出センタ１０からの送出信号を受信し増幅した後、周波数変換を行い、更に地上に転送する。受信装置３０、４０、５０は、衛星２０からの転送信号を入力されて複調した後、圧縮解除して本来の信号に各々変換出力する。
【０００６】
こうしたデジタル放送サービスの長所の一つは、アナログ放送サービスに比べてチャンネル効率が非常に良いということである。すなわち、アナログ放送では、一つの物理的なチャンネルに一つの番組しか存在しなかった。これに対し、デジタル放送では、一つの物理的なチャンネルに多くの番組を同時に伝達できる。よって、デジタル放送サービスはかなり多くの番組を提供できる。これに、視聴者らが所望の番組を容易に選択できるようにするための番組情報を提供する必要がある。このために作られたサービスがＥＰＧ(Ｅｌｅｃｔｒｏｎｉｃ  Ｐｒｏｇｒａｍ  Ｇｕｉｄｅ：以下、“ＥＰＧ”という)サービスである。
【０００７】
ＥＰＧサービスは、番組を提供する放送局(又はケーブル放送のサービス運営者(Ｓｅｒｖｉｃｅ  Ｏｐｅｒａｔｏｒ：ＳＯ))が放送に関する様々な番組情報を視聴者に提供することで、視聴者がその番組情報を参照できるようにするサービスである。例えば、ＥＰＧサービスは、番組の各々に対する番組の題目、放映開始時間及び放映終了時間などの情報(以下、“ＥＰＧデータ”という)を提供する。
【０００８】
図２はデジタル放送受信用端末機に格納されたＥＰＧデータの例示図である。
【０００９】
ＥＰＧデータは、チャンネル及び時間別に番組情報(例えば、番組名、番組説明、等級等)を含む。
【００１０】
図２によれば、例えば、ユーザーがチャンネル１(“ＣＨ１”)を選択したと仮定すれば、デジタル放送受信用端末機は、デジタル放送視聴者らにチャンネル１(“ＣＨ１”)に該当する放送番組情報を提供するために、ＥＰＧデータから時間帯別(例:“０９:００〜１０:００”、“１０:００〜１１:００”、・・・)に放映される番組名(例:“第１の番組”、“第２の番組”、・・・)、番組説明(例:“第１の番組説明”、“第２の番組説明”、・・・)、等級(例:“１８”、“１５”、・・・)などを抽出して出力する。
【００１１】
通常、このようなＥＰＧデータは、所定周期で提供されたりＥＰＧデータの変更時に提供される。よって、図１に例示した受信装置３０、４０、５０は、前記ＥＰＧデータを受信して内部に格納しておき、ユーザーの要請に応答して、前記格納されたＥＰＧデータでデジタル放送番組情報を生成してユーザーに提供する。もしくは、ユーザーの要請に応答して、ＥＰＧデータを受信し、デジタル放送番組情報を生成した後、そのデジタル放送番組情報をユーザーに提供する。
【００１２】
図３ａから図３ｄは、従来の実施例によって放送番組情報を説明する例示図である。すなわち、図３ａから図３ｄは、放送番組情報をガイドするためにユーザーに表示される画面に対する例示図である。
【００１３】
図３ａはチャンネルガイドの初期画面の例、図３ｂは図３ａの画面においてユーザーが“ビデオチャンネル”を選択した場合の画面の例、図３ｃは図３ｂの画面においてユーザーが“ｃｈ０６”を選択した場合の画面の例、図３ｄは図３ｃの画面においてユーザーが“オールドボーイ”を選択した場合に、“オールドボーイ”についての番組説明(例えば、出演、監督、等級等)を表示した画面の例である。
【００１４】
図３ａから図３ｄのようなガイド用画面は、デジタル放送受信用端末機の表示部の全体に表示されたり、一部に実際の放送データと共に表示される。よって、前者の場合、デジタル放送番組情報の確認のために現在視聴中であった放送の視聴を中断すべきであるという短所があり、後者の場合、放送データのための画面とデジタル放送番組のガイド用画面とも小さく表示されて、放送視聴やデジタル放送番組情報の確認が全て不便であるという短所があった。
【００１５】
また、従来は、図３ｃに例示したように、一チャンネルの放送内容(番組)を時間帯別に表示する場合が一般的であるため、同時間帯に多くのチャンネルで放映する番組情報を確認するのが不便であった。すなわち、従来は、同時間帯に多くのチャンネルで放映する番組情報を一度に確認できる方法がなかった。よって、ユーザーが同時間帯の各チャンネル別放映番組を知りたい場合には、各チャンネル毎に時間帯別番組情報を一々確認すべきであるという短所があった。
【発明の開示】
【発明が解決しようとする課題】
【００１６】
したがって、本発明の目的は、同時間帯に多くのチャンネルで放映する番組情報を容易に確認できるデジタル放送受信用端末機及びその方法を提供することにある。
【００１７】
本発明の他の目的は、放送視聴を妨げることなく同時間帯に多くのチャンネルで放映する番組情報を確認できるデジタル放送受信用端末機及びその方法を提供することにある。
【００１８】
本発明の更に他の目的は、ユーザーがデジタル放送番組情報を便利に利用できるようにしたデジタル放送受信用端末機及びその方法を提供することにある。
【課題を解決するための手段】
【００１９】
前記目的を達成するために、本発明に係るデジタル放送受信用端末機は、外部制御命令を入力される入力部と、デジタル放送データ及び番組ガイドデータを受信する受信部と、デジタル放送データまたは番組ガイドデータを出力する出力部と、前記受信された番組ガイドデータを格納/管理する管理部と、前記入力部を介した同時間帯のチャンネル別放送番組情報の要請に応答して、前記管理部から当該時間帯のチャンネル別番組ガイドデータを検出し、そのチャンネル別番組ガイドデータから、当該時間帯のチャンネル別放送番組情報を生成した後、前記出力部を介して出力するように制御する制御部とを含むことを特徴とする。
【００２０】
また、本発明に係る同時間帯の放送番組情報ガイド方法は、所定時間帯のチャンネル別放送番組情報の要請に応答して、既格納の番組ガイドデータから前記時間帯のチャンネル別番組ガイドデータを検出する過程と、そのチャンネル別番組ガイドデータから当該時間帯のチャンネル別放送番組情報を生成する過程と、前記チャンネル別放送番組情報を出力する第１の出力過程とを含むことを特徴とする。
【発明の効果】
【００２１】
本発明は、デジタル放送の視聴中に他の放送チャンネルで放送中である番組情報を簡単に検索できる。また、前記検索結果に基づき、視聴したいチャンネルへのチャンネル変更が容易になる。よって、デジタル放送受信用端末機使用の便利性が一層極大化するという効果がある。
【発明を実施するための最良の形態】
【００２２】
以下、添付図面に基づき、本発明の好適な実施の形態を詳細に説明する。下記説明において、本発明の要旨のみを明確にするために、公知の機能及び構成についての詳細な説明は省略する。
【００２３】
図４は、本発明の一実施の形態によるデジタル放送受信用端末機に対するブロック図である。
【００２４】
本発明の一実施の形態によるデジタル放送受信用端末機１００は、ＤＭＢ制御部１１０、ＤＭＢ受信部１２０、ＥＰＧ管理部１３０、入力部１４０、表示部１５０、及びスピーカー１６０を含む。
【００２５】
ＤＭＢ制御部１１０は、入力部１４０から入力される命令語及び既格納の動作プログラムに基づき、デジタル放送受信用端末機１００の動作を制御する。ＤＭＢ受信部１２０は、ＤＭＢ制御部１１０の制御により放送データ(以下、“ＤＭＢデータ”という)及び番組ガイドデータ(以下、“ＥＰＧデータ”という)を受信して、ＤＭＢ制御部１１０に伝達する。ＥＰＧ管理部１３０は、ＤＭＢ制御部１１０の制御により前記受信されたＥＰＧデータを格納/管理する。
【００２６】
入力部１４０は外部命令を入力されてＤＭＢ制御部１１０に伝達する。デジタル放送受信用端末機１００が、デジタル放送受信専用の端末機の場合、入力部１４０はキーパッド等のようにユーザーの操作信号を直接入力するユーザーインターフェース手段として具現され、移動通信機能とデジタル放送受信機能とを兼ね備えるデジタル放送受信兼用端末機の場合、移動通信機能を制御する主制御部(図示せず)から伝達された命令(例：情報要請、チャンネル変更等)若しくはデータ(情報確認を所望する時間帯等)を入力するように具現できる。すなわち、通常の移動通信機能(例：通話)のために備えられたキーパッドを介したユーザー入力が、本発明に係るチャンネル別放送番組ガイドと関連した入力と認識されれば、移動通信機能を制御する主制御部がこの入力をデジタル放送受信処理部分に伝達するように具現するものである。
【００２７】
表示部１５０及びスピーカー１６０は、前記受信されたＤＭＢデータまたはＥＰＧ管理部１３０に格納されたＥＰＧデータを用いて生成したデジタル放送番組ガイド情報を視聴覚的に出力する。表示部１５０はＬＣＤ(Ｌｉｑｕｉｄ  Ｃｒｙｓｔａｌ  Ｄｉｓｐｌａｙ)で具現できる。
【００２８】
特に、ＤＭＢ制御部１１０は、入力部１４０を介してユーザーから同時間帯に多くのチャンネルで放映するデジタル放送番組のガイド要請が入力されると、それに応答して、ＥＰＧ管理部１３０に格納されたＥＰＧデータから該当時間帯のチャンネル別番組情報を検出し、その番組情報を表示部１５０及び/またはスピーカー１６０を用いてユーザーに提供する。このとき、前記同時間は現在時間またはユーザー指定の特定時間になり得る。また、前記ＤＭＢ制御部１１０は、前記要請に応答して、ＥＰＧ管理部１３０に格納されたＥＰＧデータをアップデートした後、そのアップデートされたＥＰＧデータに基づき、該当時間帯のチャンネル別番組情報を検出することが好ましい。
【００２９】
図５は、本発明の一実施の形態による同時間帯の放送番組情報のガイド方法を示すフローチャートである。本実施の形態は、ユーザーが現在時間に対する放送番組情報のガイドを要請する場合を仮定して、その処理過程を示すものである。
【００３０】
図６ａから図６ｃは、本発明の一実施の形態による放送番組情報のガイド画面を示す図である。
【００３１】
図４から図６ｃを参照して、本発明の一実施の形態による同時間帯の放送番組情報のガイド方法を具体的に説明すれば、次の通りである。
【００３２】
入力部１４０を介して同時間帯(例えば、現在時間帯)に多くのチャンネルで放映するデジタル放送番組のガイドを所望するユーザーの要請が入力されると、ＤＭＢ制御部１１０は、これを認識し(Ｓ２０１)、現在時間を確認する(Ｓ２０３)。そして、ＤＭＢ制御部１１０は、ＥＰＧ管理部１３０からその時間帯のチャンネル別番組情報を検出する(Ｓ２０５)。このために、ＤＭＢ制御部１１０は、同時間帯を決定するための所定情報を持っていることが好ましい。例えば、現在時間と同じ時間のみを同時間帯と見なすか、現在時間から前後５分を含んだ時間を同時間帯と見なすか等に関する情報を持ち、これに基づき、同時間帯のチャンネル別番組情報を検出することが好ましい。また、ユーザーが同時間帯に多くのチャンネルで放映するデジタル放送番組のガイドを要請できるようにするためのキー(例えば、“メニューキー”等)を別に割り当てることが好ましい。
【００３３】
同時間帯のチャンネル別番組情報の検出が完了すると、これをユーザーが見られるようにディスプレイする(Ｓ２０７)。このとき、使用される方式はオン-スクリーン-ディスプレイ(Ｏｎ  Ｓｃｒｅｅ  Ｄｉｓｐｌａｙ：ＯＳＤ)方式である。特に、チャンネル別番組情報を画面の下段に１ラインスライド方式でディスプレイできるが、１ラインスライド方式とは、チャンネル別番組情報を特定位置に１ラインでゆっくりスクロールさせながら、ユーザーが確認できるようにすることを言う。図６ａはこのようなチャンネル別番組情報のディスプレイ例を示す図である。すなわち、図６ａにはデジタル放送データが出力される画面の下段に現在時間帯に他のチャンネルで放映されている番組情報が１ラインスライド方式でディスプレイされる例(ＣＨ１デジャングム  ＣＨ２結婚して・・・)が示されている。
【００３４】
また、このとき、ディスプレイされる番組情報は、チャンネル別番組に対する概略的な情報であることが好ましい。例えば、チャンネル名と当該チャンネルで放映中である番組名をディスプレイすることが好ましい。このように、現在視聴中である放送データを出力しながら、チャンネル別番組情報をディスプレイすることで、現在視聴中である番組を妨げることなく、現在時間に他のチャンネルで放送中である番組情報を確認できる。
【００３５】
一方、このようにチャンネル別番組情報がディスプレイされた状態において、ユーザーが所定チャンネルに対する詳細情報を要請すると(Ｓ２０９)、ＤＭＢ制御部１１０は対応する番組に対する詳細情報をディスプレイする(Ｓ２１１)。すなわち、入力部１４０を介してチャンネル選択情報(例えば、特殊記号(*)＋チャンネル番号(１３)、即ち、“*１３”)が入力されると、ＤＭＢ制御部１１０はＥＰＧ管理部１３０からそのチャンネルに対する詳細情報を抽出して、表示部１５０を介してディスプレイする。
【００３６】
例えば、当該番組の放映開始時間、放映終了時間、代表出演者、監督、及び等級などの詳細情報を抽出してディスプレイする。このとき、前記番組の詳細情報はチャンネル別番組情報と同様な方式でディスプレイすることが好ましい。図６ｂには、デジタル放送データが出力される画面の下段に、前記番組の詳細情報を１ラインスライド方式でディスプレイする例(ＣＨ１  １４:００〜１６:００  デジャングム  出演：リ ヨン エ、チ ジン ヒ)が示されている。しかし、前記番組の詳細情報のディスプレイ方式は図６ｂの例示に限るものではない。すなわち、前記番組の詳細情報を、図６ｃに例示したように、別途の詳細情報表示窓を通してディスプレイすることもできる。
【００３７】
一方、前記選択されたチャンネルに対する番組の詳細情報がディスプレイされている状態において、ユーザーがチャンネル変更を要請すると(例えば、“確認”キーを押すと)(Ｓ２１３)、前記選択されたチャンネルへのチャンネル変更を行う(Ｓ２１５)。これにより、ユーザーは、現在時間に他のチャンネルで放送中である番組情報を容易に確認でき、所望のチャンネルへのチャンネル変更も容易になる。
【００３８】
上記のように、ユーザー選択のチャンネルに対する番組の詳細情報がディスプレイされている状態において、ユーザーがチャンネル別番組情報を再要請すると(例えば、“取消”キーを押すと)、ＤＭＢ制御部１１０は、前述した過程(Ｓ２０７)でディスプレイしたチャンネル別番組情報を更にディスプレイすることが好ましい。すなわち、ユーザーが、番組の詳細情報を見て所望の番組でないことを確認した後、他のチャンネルの番組の詳細情報を選択できるようにするために、上記のようにチャンネル別番組情報を更にディスプレイできるようにすることが好ましい。
【００３９】
本発明の具現において、同時間帯に放送される番組に対する情報を迅速に得るには、放送時間を迅速に比較できるべきである。このために、ＥＰＧデータの格納時、容易に探索できるように、時間情報を所定形式(例：数字)に変換格納した後、これを用いて特定時間帯の放送を探索できるようにする。例えば、ある放送の開始時間が２００４年６月２３日１７:００:００であり、終了時間が２００４年６月２３日２１:００:００であると仮定する。
【００４０】
開始時間を２００４年を基準として下記の(１)、(２)、(３)のように、年、月、日に対して計算してみれば、１５,１８１,２００秒である。
(１)年度計算：２００４−２００４=０
(２)日数計算：０×３６５＋(３１＋２９＋３１＋３０＋３１＋２３)=１７５
(括弧内は月別日数、２００４年は閏年)
(３)秒単位で時間計算：１７５日×２４時間×３６００秒=１５,１２０,０００
１７時間×３６００＋０分×６０秒＋０秒=６１,２００
【００４１】
同様な方法により終了時間を計算してみれば、１５,１９５,６００秒である。
【００４２】
上記のように計算された開始時間と終了時間を、ＥＰＧデータに挿入させて格納するには、各番組別に４バイトのフィールドを備えるべきである。前記１５,１８１,２００秒と１５,１９５,６００秒をＨＥＸ値に変換すれば、それぞれ０x００Ｅ７Ａ５９０、０x００Ｅ７ＤＤＤ０である。
【００４３】
ｔｙｐｅｄｅｆ  ｓｔｒｕｃｔ{
ｕｎｓｉｇｎｅｄ  ｓｈｏｒｔ  ＥｖｔＩＤ；
ｕｎｓｉｇｎｅｄ  ｃｈａｒ  ＳｔａｒｔＴｉｍｅ[８]；
ｕｎｓｉｇｎｅｄ  ｃｈａｒ  Ｄｕｒａｔｉｏｎ[３]；
ＤＷＯＲＤ                    ＴｉｍｅＳｔａｒｔ;
ＤＷＯＲＤ                    ＴｉｍｅＦｉｎｉｓｈ;
ｕｎｓｉｇｎｅｄ  ｃｈａｒ  ＦｒｅｅＭｏｄｅ；
ｕｎｓｉｇｎｅｄ  ｃｈａｒ  ＥｖｔＮａｍｅＬｅｎ；
ｕｎｓｉｇｎｅｄ  ｃｈａｒ  ＥｖｔＮａｍｅ[ＭＡＸ_ＥＶＴ_ＮＡＭＥ]；
ｕｎｓｉｇｎｅｄ  ｃｈａｒ  ＥｖｔＮａｍｅＥｘｔＬｅｎ；
ｕｎｓｉｇｎｅｄ  ｃｈａｒ  ＥｖｔＮａｍｅＥｘｔ[ＭＡＸ_ＥＶＴ_ＮＡＭＥ_ＥＸＴ]；
}ＥＰＧ_ＰＧＭ_ＩＮＦＯ；
【００４４】
前記番組はＣ言語で作成されたものである。
【００４５】
このように各番組毎に開始時間及び終了時間を秒単位に換算格納しておけば、ユーザーからチャンネル別番組情報のガイド要請があるとき、現在時間を秒単位に変換し、ＥＰＧデータにある値と比較して、現在放送中である番組の情報を持ってくればよい。例えば、現在時間を２００４年６月２３日１９：３４：２３とするとき、秒単位に計算すれば１５,２５１,６６３秒となり、ＨＥＸで表現すれば０ｘＥ８Ｂ８ＣＦとなる。この値は前記開始時間０ｘ００Ｅ７Ａ５９０と終了時間０ｘ００Ｅ７ＤＤＤ０との間にある値なので、現在時間に放送されていると判断できる。よって、当該番組情報を画面にディスプレイすればよい。
【００４６】
以上は、現在時間帯を仮定して説明したが、必要に応じて、ユーザーが所望する任意の時間帯に対する情報のガイドも可能である。すなわち、現在時間は７:００:００であるが、ユーザーが１６:３０:００のチャンネル別番組情報のガイドを所望すれば、自身が所望する時間帯１６:３０:００を別に入力すればよい。このためには、図５の段階(Ｓ２０３)において、現在時間を自動確認する動作の代りにユーザーが直接入力する時間データを感知する動作を実施するように具現すればよい。そして、前記ユーザーが直接入力する時間データを秒単位に換算して、前述したような方法によりその時間帯に放送される番組を探索すれば良い。前記例のように同一日付の他の時間帯ではなくても良い。もし、送出側で今日と明日の放送スケジュールに対する情報を提供するものであれば、今日と明日の何れの時間帯でも可能であり、三日間の放送スケジュールに対する情報を提供するものであれば、その三日に含まれる何れの時間帯でも可能である。換言すれば、番組情報提供者の情報提供政策に応じて変化するものである。
【００４７】
また、ＥＰＧデータの受信は、ユーザーからデジタル放送番組のガイド要請があるときに行うことができ、前記要請とは無関係に一定時間間隔に行っておき、ユーザーの要請があるときにこれを参照できるように具現することもできる。ここで、前記一定時間間隔とは、例えば、もし番組情報提供側で一日に４度バージョン(ｖｅｒｓｉｏｎ)変更した情報を提供すると、バージョン変更周期毎に受信すればよい。もしバージョン変更がないと、ユーザーがデジタル放送視聴の開始時に一度だけ受信すればよい。換言すれば、ＥＰＧデータの受信も、番組情報提供者の情報提供政策に応じて変化するものである。
【００４８】
上述した本発明の説明では、具体的な実施例について説明したが、本発明の要旨から逸脱しない範囲内で多様な変形・実施が可能である。従って、本発明の範囲は説明された実施例に限るものではなく、特許請求の範囲とその均等物により定めなければならない。
【図面の簡単な説明】
【００４９】
【図１】デジタルマルチメディア放送サービス具現のためのシステム構成に対する例示図である。
【図２】デジタル放送受信用端末機に格納されたＥＰＧデータの例示図である。
【図３ａ】従来の実施例によって放送番組情報をガイドする方法を説明するための例示図である。
【図３ｂ】従来の実施例によって放送番組情報をガイドする方法を説明するための例示図である。
【図３ｃ】従来の実施例によって放送番組情報をガイドする方法を説明するための例示図である。
【図３ｄ】従来の実施例によって放送番組情報をガイドする方法を説明するための例示図である。
【図４】本発明の一実施の形態によるデジタル放送受信用端末機に対するブロック図である。
【図５】本発明の一実施の形態による同時間帯の放送番組情報のガイド方法を示すフローチャートである。
【図６ａ】本発明の一実施の形態による放送番組情報のガイド画面を示す図である。
【図６ｂ】本発明の一実施の形態による放送番組情報のガイド画面を示す図である。
【図６ｃ】本発明の一実施の形態による放送番組情報のガイド画面を示す図である。
【符号の説明】
【００５０】
１０    データ送出センタ
２０    衛星
３０    移動通信端末機
４０    車両用受信機
５０    家庭用受信機
１００    デジタル放送受信用端末機
１１０    ＤＭＢ制御部
１２０    ＤＭＢ受信部
１３０    ＥＰＧ管理部
１４０    入力部
１５０    表示部
１６０    スピーカー
【図１】
2006060823.tif 000003
【図２】
2006060823.tif 000004
【図３ａ】
2006060823.tif 000005
【図３ｂ】
2006060823.tif 000006
【図３ｃ】
2006060823.tif 000007
【図３ｄ】
2006060823.tif 000008
【図４】
2006060823.tif 000009
【図５】
2006060823.tif 000010
【図６ａ】
2006060823.tif 000011
【図６ｂ】
2006060823.tif 000012
【図６ｃ】
2006060823.tif 000013